(57)【要約】【課題】  二つの特別図柄表示装置（演出図柄表示装置）を設けるにあたり、遊技者の興味が分散したり、一方に偏ることを回避する。【解決手段】  第一及び第二の特別図柄表示装置１６、１７と、第一及び第二の演出図柄表示装置１８、１９を設けると共に、第一及び第二の演出図柄表示装置１８、１９による演出を連動させる。  例えば、一方の演出図柄表示装置１８（１９）が大当り演出中のとき、他方の演出図柄表示装置１９（１８）にも大当り演出を行わせる。  また、一方の演出図柄表示装置１８（１９）がリーチ演出中のとき、他方の演出図柄表示装置１９（１８）にもリーチ演出を行わせる。  また、一方の演出図柄表示装置１８（１９）に係る予告演出を、他方の演出図柄表示装置１９（１８）に行わせる。【選択図】        図３
2006116107.tif 000002
【特許請求の範囲】
【請求項１】
始動口に対する遊技球の入賞に応じて、特別図柄に係る抽選処理を行う主基板と、該主基板からの演出コマンドに応じて、演出処理を行う周辺基板とを備え、特別図柄に係る抽選に当選したとき、遊技者に有利な状態を出現させる弾球遊技機において、
前記主基板には、
第一の始動口に対する遊技球の入賞に応じて、第一の特別図柄に係る抽選処理を行う第一の特別図柄抽選手段と、
第一の特別図柄表示装置に第一の特別図柄を表示させる第一の特別図柄表示制御手段と、
第一の特別図柄に係る演出コマンドを前記周辺基板に送信する第一の演出コマンド送信手段と、
第二の始動口に対する遊技球の入賞に応じて、第二の特別図柄に係る抽選処理を行う第二の特別図柄抽選手段と、
第二の特別図柄表示装置に第二の特別図柄を表示させる第二の特別図柄表示制御手段と、
第二の特別図柄に係る演出コマンドを前記周辺基板に送信する第二の演出コマンド送信手段とが設けられ、
前記周辺基板には、
前記主基板から受信した演出コマンドに応じて、第一の演出図柄表示装置に第一の特別図柄に係る演出図柄を表示させる第一の演出図柄表示制御手段と、
前記主基板から受信した演出コマンドに応じて、第二の演出図柄表示装置に第二の特別図柄に係る演出図柄を表示させる第二の演出図柄表示制御手段とが設けられ、
更に、前記主基板及び／又は前記周辺基板には、
一方の演出図柄表示装置による演出と、他方の演出図柄表示装置による演出を連動させる連動演出制御手段が設けられることを特徴とする弾球遊技機。
【請求項２】
前記連動演出制御手段は、一方の演出図柄表示装置が大当り演出中のとき、他方の演出図柄表示装置にも大当り演出を行わせることを特徴とする請求項１記載の弾球遊技機。
【請求項３】
前記連動演出制御手段は、一方の演出図柄表示装置がリーチ演出中のとき、他方の演出図柄表示装置にもリーチ演出を行わせることを特徴とする請求項１又は２記載の弾球遊技機。
【請求項４】
前記連動演出制御手段は、一方の演出図柄表示装置に係る予告演出を、他方の演出図柄表示装置に行わせることを特徴とする請求項１〜３のいずれかに記載の弾球遊技機。
【請求項５】
一方の演出図柄表示装置に係る演出を、他方の演出図柄表示装置で行うとき、他方の演出図柄表示装置が表示している演出図柄を縮小及び／又は移動させることを特徴とする請求項１〜４のいずれかに記載の弾球遊技機。
【発明の詳細な説明】
【技術分野】
【０００１】
本発明は、始動口に対する遊技球の入賞に応じて、特別図柄に係る抽選処理を行い、特別図柄に係る抽選に当選したとき、遊技者に有利な状態を出現させるパチンコ遊技機などの弾球遊技機に関する。
【背景技術】
【０００２】
始動口に対する遊技球の入賞に応じて、特別図柄に係る抽選処理を行い、特別図柄に係る抽選に当選したとき、遊技者に有利な状態を出現させる弾球遊技機が普及している。この種の弾球遊技機は、液晶パネルなどで構成される特別図柄表示装置と、特別図柄に係る抽選処理を行う主基板（主制御基板）と、該主基板からの演出コマンドに応じて、特別図柄表示装置を制御する周辺基板（図柄表示制御基板）とを備えており、通常、特別図柄表示装置では、特別図柄を変動表示するだけでなく、様々な演出図柄を用いて、リーチ予告演出、リーチ演出、大当り演出などが行われている。尚、本明細書では、大当りの期待が高い状態を「リーチ」という。
【０００３】
近年、二つの特別図柄表示装置を設け、各特別図柄表示装置で異なる特別図柄表示を行う弾球遊技機が提案されている（例えば、特許文献１参照。）。このような弾球遊技機によれば、特別図柄に係る抽選機会が増えるだけでなく、二つの特別図柄表示装置で趣向の異なる演出を行うことにより、弾球遊技機の遊技性を高めることが可能になる。
【特許文献１】特開２００３−２６０２４８号公報
【発明の開示】
【発明が解決しようとする課題】
【０００４】
ところで、特許文献１のように、二つの特別図柄表示装置を設けると、各特別図柄表示装置の図柄表示によって、演出効果が相乗的に高められると思われるが、実際には、各特別図柄表示装置が無秩序に図柄変動表示を繰り返するため、遊技者の興味が分散したり、或いは、一方に興味が偏ってしまい、却って演出効果が低下する可能性がある。
【課題を解決するための手段】
【０００５】
本発明は、上記の如き実情に鑑みこれらの課題を解決することを目的として創作されたものであって、始動口に対する遊技球の入賞に応じて、特別図柄に係る抽選処理を行う主基板と、該主基板からの演出コマンドに応じて、演出処理を行う周辺基板とを備え、特別図柄に係る抽選に当選したとき、遊技者に有利な状態を出現させる弾球遊技機において、前記主基板には、第一の始動口に対する遊技球の入賞に応じて、第一の特別図柄に係る抽選処理を行う第一の特別図柄抽選手段と、第一の特別図柄表示装置に第一の特別図柄を表示させる第一の特別図柄表示制御手段と、第一の特別図柄に係る演出コマンドを前記周辺基板に送信する第一の演出コマンド送信手段と、第二の始動口に対する遊技球の入賞に応じて、第二の特別図柄に係る抽選処理を行う第二の特別図柄抽選手段と、第二の特別図柄表示装置に第二の特別図柄を表示させる第二の特別図柄表示制御手段と、第二の特別図柄に係る演出コマンドを前記周辺基板に送信する第二の演出コマンド送信手段とが設けられ、前記周辺基板には、前記主基板から受信した演出コマンドに応じて、第一の演出図柄表示装置に第一の特別図柄に係る演出図柄を表示させる第一の演出図柄表示制御手段と、前記主基板から受信した演出コマンドに応じて、第二の演出図柄表示装置に第二の特別図柄に係る演出図柄を表示させる第二の演出図柄表示制御手段とが設けられ、更に、前記主基板及び／又は前記周辺基板には、一方の演出図柄表示装置による演出と、他方の演出図柄表示装置による演出を連動させる連動演出制御手段が設けられることを特徴とする。このように構成すれば、二つの演出図柄表示装置による演出を連動させることができるので、遊技者の興味が分散したり、一方に偏ることを回避できるだけでなく、演出効果を相乗的に高めることが可能になる。しかも、特別図柄表示装置と演出図柄表示装置を別々に備えるため、特別図柄表示装置に対する規則上の制限を満足しつつ、演出図柄表示装置において自由度の高い演出表示を行うことができる。
また、前記連動演出制御手段は、一方の演出図柄表示装置が大当り演出中のとき、他方の演出図柄表示装置にも大当り演出を行わせることを特徴とする。このように構成すれば、遊技者に対して大当りを確実に報知できるだけでなく、大当り時の演出パターンを多様化し、その効果を高めることができる。
また、前記連動演出制御手段は、一方の演出図柄表示装置がリーチ演出中のとき、他方の演出図柄表示装置にもリーチ演出を行わせることを特徴とする。このように構成すれば、遊技者に対してリーチを確実に報知できるだけでなく、リーチ時の演出パターンを多様化し、その効果を高めることができる。
また、前記連動演出制御手段は、一方の演出図柄表示装置に係る予告演出を、他方の演出図柄表示装置に行わせることを特徴とする。このように構成すれば、遊技者に対して予告演出を確実に報知できるだけでなく、予告演出時の演出パターンを多様化し、その効果を高めることができる。尚、予告演出としては、リーチ予告演出、大当り予告演出、停止図柄予告演出などが含まれる。
また、一方の演出図柄表示装置に係る演出を、他方の演出図柄表示装置で行うとき、他方の演出図柄表示装置が表示している演出図柄を縮小及び／又は移動させることを特徴とする。このように構成すれば、他方の演出図柄表示装置において連動演出用の画面スペースを広く確保し、連動演出表示の視認性を向上させることができる。
【発明の効果】
【０００６】
以上のように構成された本発明によれば、二つの演出図柄表示装置による演出を連動させることによって、遊技者の興味が分散したり、一方に偏ることを回避できるだけでなく、演出効果を相乗的に高めることが可能になる。しかも、特別図柄表示装置と演出図柄表示装置を別々に備えるため、特別図柄表示装置に対する規則上の制限を満たしつつ、演出図柄表示装置において自由度の高い演出表示を行うことができる。
【発明を実施するための最良の形態】
【０００７】
次に、本発明の実施の形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００８】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の制御基板とを備えている。
【０００９】
図３に示すように、遊技盤４には、第一及び第二の始動口１４、１５と、第一及び第二の特別図柄表示装置１６、１７と、第一及び第二の演出図柄表示装置１８、１９と、大入賞口２０を開閉させる特別電動役物２１とが配置されている。第一の始動口１４に遊技球が入賞すると、後述する第一の特別図柄に係る抽選処理が行われ、第二の始動口１５に遊技球が入賞すると、後述する第二の特別図柄に係る抽選処理が行われる。第一又は第二の特別図柄に係る抽選に当選すると、特別電動役物２１が連続的に開閉動作（例えば、１５ラウンド）され、遊技者が多くの遊技球を獲得できる。
【００１０】
第一及び第二の特別図柄表示装置１６、１７は、演出図柄表示装置１８、１９に比べて簡易な表示デバイス、例えば７セグメントＬＥＤや８セグメントＬＥＤを用いて構成されている。第一の特別図柄表示装置１６は、第一の始動口１４に対する遊技球の入賞に応じて、第一の特別図柄を変動表示し、これを所定時間後に停止させる。また、第二の特別図柄表示装置１７は、第二の始動口１５に対する遊技球の入賞に応じて、第二の特別図柄を変動表示し、これを所定時間後に停止させる。第一及び第二の特別図柄表示装置１６、１７が停止表示する特別図柄は、特別図柄抽選の当り／外れを示すものであれば特に制限はない。例えば、特別図柄表示装置１６、１７が１桁表示の７セグメントＬＥＤで構成される場合は、外れのとき「−」、ノーマル当りのとき「１」、「２」、「４」、「６」、「８」、「９」、確変当りのとき「３」、「５」、「７」を表示する。
【００１１】
第一及び第二の演出図柄表示装置１８、１９は、特別図柄表示装置１６、１７に比べて表現力の高い表示デバイス、例えば液晶パネルを用いて構成されている。第一の演出図柄表示装置１８は、第一の始動口１４に対する遊技球の入賞に応じて、第一の特別図柄に係る演出図柄を変動表示し、これを所定時間後に停止させる。また、第二の演出図柄表示装置１９は、第二の始動口１５に対する遊技球の入賞に応じて、第二の特別図柄に係る演出図柄を変動表示し、これを所定時間後に停止させる。第一及び第二の演出図柄表示装置１８、１９が表示する演出図柄は、特別図柄抽選の当り／外れを示すものであれば特に制限はない。例えば、３つの図柄を変動表示し、当りのときは同じ図柄で停止させる。また、第一及び第二の演出図柄表示装置１８、１９においては、図柄表示だけでなく、リーチ予告演出、リーチ演出、大当り演出など、様々な演出表示を行うことができる。
【００１２】
次に、パチンコ遊技機１の基板構成について、図４及び図５を参照して説明する。図４に示すように、パチンコ遊技機１は、少なくとも主基板２２と、該主基板２２からの演出コマンドに応じて、演出処理を行う周辺基板２３とを備えている。本実施形態の主基板２２は、主制御基板２４、払出制御基板２５、発射モータ制御基板２６及び特別図柄表示制御基板２７を含み、周辺基板２３は、演出図柄表示制御基板２８、音声制御基板２９及びランプ制御基板３０を含んでいる。
【００１３】
払出制御基板２５には、玉切れスイッチ３１、払出センサ３２、払出モータ３３などが接続されており、主制御基板２４からの払出信号に応じて、遊技球の払い出しを行うほか、台間玉貸し機３からの貸出信号に応じて、遊技球の払い出しを行う。また、発射モータ制御基板２６には、発射スイッチ（ハンドル角センサ）３４、タッチセンサ３５、発射モータ１３などが接続されており、発射スイッチ３４及びタッチセンサ３５がＯＮのとき、発射モータ１３を駆動させる。また、特別図柄表示制御基板２７には、第一及び第二の特別図柄表示装置１６、１７が接続されており、主制御基板２４からの表示信号に応じて、第一及び第二の特別図柄表示装置１６、１７に特別図柄を表示させる。
【００１４】
主制御基板２４には、入賞口（図示せず）に対する遊技球の入賞を検出する入賞口スイッチＳＷ１、第一の始動口１４に対する遊技球の入賞を検出する第一始動口スイッチＳＷ２、第二の始動口１５に対する遊技球の入賞を検出する第二始動口スイッチＳＷ３、ゲート（図示せず）における遊技球の通過を検出するゲートスイッチＳＷ４、大入賞口２０に対する遊技球の入賞を検出する大入賞口スイッチＳＷ５、大入賞口２０のＶゾーン（特定の領域）における遊技球の通過を検出する特定領域スイッチＳＷ６などのセンサ類と、特別電動役物２１を開閉動作させるソレノイドＳＯＬなどのアクチュエータ類と、作動保留記憶装置３６などの表示デバイス類とが接続されている。そして、主制御基板２４は、上記各スイッチＳＷ１〜ＳＷ６の検出信号に応じて、特別図柄抽選処理、特別図柄表示処理、演出コマンド送信処理などを行う。
【００１５】
演出図柄表示制御基板２８には、第一及び第二の演出図柄表示装置１８、１９が接続されており、主制御基板２４からの演出コマンドに応じて、演出図柄表示装置１８、１９に演出図柄を表示させる。また、音声制御基板２９には、スピーカ１０が接続されており、主制御基板２４（又は演出図柄表示制御基板２８）からの演出コマンドに応じて、所定の演出音声をスピーカ１０から出音させる。また、ランプ制御基板３０には、発光表示ランプＬが接続されており、主制御基板２４（又は演出図柄表示制御基板２８）からの演出コマンドに応じて、発光表示ランプＬを点灯動作させる。
【００１６】
図５は、主基板２２及び周辺基板２３の機能的な構成を示している。この図に示すように、主基板２２は、ハードウエア及びソフトウエアにより実現される機能的な構成として、第一の特別図柄抽選手段２２ａと、第一の特別図柄表示制御手段２２ｂと、第一の演出コマンド送信手段２２ｃと、第二の特別図柄抽選手段２２ｄと、第二の特別図柄表示制御手段２２ｅと、第二の演出コマンド送信手段２２ｆとを備え、周辺基板２３は、第一の演出図柄表示制御手段２３ａと、第二の演出図柄表示制御手段２３ｂと、連動演出制御手段２３ｃとを備えている。
【００１７】
第一の特別図柄抽選手段２２ａは、第一の始動口１４に対する遊技球の入賞に応じて、第一の特別図柄に係る抽選処理を行うように構成され、第一の特別図柄表示制御手段２２ｂは、第一の特別図柄表示装置１６に第一の特別図柄を表示させるように構成され、第一の演出コマンド送信手段２２ｃは、第一の特別図柄に係る第一の演出コマンドを周辺基板２３に送信するように構成される。
【００１８】
また、第二の特別図柄抽選手段２２ｄは、第二の始動口１５に対する遊技球の入賞に応じて、第二の特別図柄に係る抽選処理を行うように構成され、第二の特別図柄表示制御手段２２ｅは、第二の特別図柄表示装置１７に第二の特別図柄を表示させるように構成され、第二の演出コマンド送信手段２２ｆは、第二の特別図柄に係る第二の演出コマンドを周辺基板２３に送信するように構成される。
【００１９】
また、第一の演出図柄表示制御手段２３ａは、主基板２２から受信した第一の演出コマンドに応じて、第一の演出図柄表示装置１８に第一の特別図柄に係る演出図柄を表示させるように構成され、第二の演出図柄表示制御手段２３ｂは、主基板２２から受信した第二の演出コマンドに応じて、第二の演出図柄表示装置１９に第二の特別図柄に係る演出図柄を表示させ、連動演出制御手段２３ｃは、一方の演出図柄表示装置１８（１９）による演出と、他方の演出図柄表示装置１９（１８）による演出を連動させるように構成される。尚、連動演出制御手段２３ｃは、周辺基板２３に設けることなく、主基板２２に設けてもよい。
【００２０】
連動演出制御手段２３ｃが行う連動演出としては、一方の演出図柄表示装置１８（１９）が大当り演出中のとき、他方の演出図柄表示装置１９（１８）にも大当り演出（画面の暗化、背景の変更、特定キャラクタの表示など）を行わせる大当り連動演出や、一方の演出図柄表示装置１８（１９）がリーチ演出中（画面の暗化、背景の変更、特定キャラクタの表示など）のとき、他方の演出図柄表示装置１９（１８）にもリーチ演出を行わせるリーチ連動演出が含まれる。また、連動演出制御手段２３ｃは、一方の演出図柄表示装置１８（１９）に係る予告演出を、他方の演出図柄表示装置１９（１８）に行わせることができ（特定キャラクタの表示など）、予告演出としては、リーチ予告演出、大当り予告演出、停止図柄予告演出などが含まれる。以下、連動演出制御手段２３ｃによる連動演出の具体例を図６〜図１３に沿って説明する。
【００２１】
［連動演出１］
図６及び図７に示す例では、まず、大当りの発生を判断し、この判断結果がＹＥＳの場合は、いずれの演出図柄表示装置１８、１９で大当りが発生したかを判断する。そして、第一の演出図柄表示装置１８で大当りが発生した場合は、第二の演出図柄表示装置１９の表示画面が暗くなるように所定の描画処理（暗化処理）を行い、第二の演出図柄表示装置１９で大当りが発生した場合は、第一の演出図柄表示装置１８の表示画面が暗くなるように所定の描画処理を行う。
【００２２】
また、大当り発生後は、大当りの終了を判断し、この判断結果がＹＥＳの場合は、いずれの演出図柄表示装置１８、１９で大当りが終了したかを判断する。そして、第一の演出図柄表示装置１８で大当りが終了した場合は、第二の演出図柄表示装置１９の表示画面が通常の明るさに復帰するように所定の描画処理を行い、第二の演出図柄表示装置１９で大当りが終了した場合は、第一の演出図柄表示装置１８の表示画面が通常の明るさに復帰するように所定の描画処理を行う。
【００２３】
［連動演出２］
図８及び図９に示す例でも、まず、大当りの発生を判断し、この判断結果がＹＥＳの場合は、いずれの演出図柄表示装置１８、１９で大当りが発生したかを判断する。そして、第一の演出図柄表示装置１８で大当りが発生した場合は、第一の演出図柄表示装置１８と連動して一体的な大当り演出を行うように第二の演出図柄表示装置１９の描画処理を行い、第二の演出図柄表示装置１９で大当りが発生した場合は、第二の演出図柄表示装置１９と連動して一体的な大当り演出を行うように第一の演出図柄表示装置１９の描画処理を行う。ちなみに、図９に示す例では、大当り演出用の文字列「ラウンド１」を第一及び第二の演出図柄表示装置１８、１９で分割表示している。尚、大当り終了後の画面復帰処理は、連動演出１とほぼ同一であるため、説明を省略する。
【００２４】
［連動演出３］
図１０及び図１１に示す例では、まず、リーチの発生を判断し、この判断結果がＹＥＳの場合は、いずれの演出図柄表示装置１８、１９でリーチが発生したかを判断する。そして、第一の演出図柄表示装置１８でリーチが発生した場合は、第二の演出図柄表示装置１９もリーチ演出を行うように所定の描画処理を行い、第二の演出図柄表示装置１９でリーチが発生した場合は、第一の演出図柄表示装置１８もリーチ演出を行うように所定の描画処理を行う。ちなみに、図１１に示す例では、一方の演出図柄表示装置１８（１９）でリーチが発生した場合、リーチ演出用の文字列「リーチ！」を他方の演出図柄表示装置１９（１８）に表示させる。また、本実施形態では、リーチ演出用の文字列を他方の演出図柄表示装置１９（１８）に表示するとき、他方の演出図柄表示装置１９（１８）が表示している演出図柄を縮小し、画面の隅部に移動させる。これにより、連動演出用の画面スペースを広く確保し、連動演出表示の視認性を向上させることができる。尚、リーチ終了後の画面復帰処理は、連動演出１、２とほぼ同一であるため、説明を省略する。
【００２５】
［連動演出４］
図１２及び図１３に示す例では、まず、リーチ予告の発生を判断し、この判断結果がＹＥＳの場合は、いずれの演出図柄表示装置１８、１９でリーチ予告が発生したかを判断する。そして、第一の演出図柄表示装置１８でリーチ予告が発生した場合は、第二の演出図柄表示装置１９がリーチ予告演出を行うように所定の描画処理を行い、第二の演出図柄表示装置１９でリーチ予告が発生した場合は、第一の演出図柄表示装置１８でリーチ予告演出を行うように所定の描画処理を行う。ちなみに、図１３に示す例では、一方の演出図柄表示装置１８、１９でリーチ予告が発生した場合、リーチ予告演出用のキャラクタ（魚群）を他方の演出図柄表示装置１８、１９に表示させる。尚、リーチ予告終了後の画面復帰処理は、連動演出１〜３とほぼ同一であるため、説明を省略する。
【００２６】
叙述の如く構成された本実施形態のパチンコ遊技機１によれば、二つの演出図柄表示装置１８、１９による演出を連動させることができるので、遊技者の興味が分散したり、一方に偏ることを回避できるだけでなく、演出効果を相乗的に高めることが可能になる。しかも、特別図柄表示装置１６、１７と演出図柄表示装置１８、１９を別々に備えるため、特別図柄表示装置１６、１７に対する規則上の制限を満足しつつ、演出図柄表示装置１８、１９において自由度の高い演出表示を行うことができる。
【００２７】
また、本実施形態では、一方の演出図柄表示装置１８（１９）が大当り演出中のとき、他方の演出図柄表示装置（１９）１８にも大当り演出を行わせるので、遊技者に対して大当りを確実に報知できるだけでなく、大当り時の演出パターンを多様化し、その効果を高めることができる。
【００２８】
また、本実施形態では、一方の演出図柄表示装置１８（１９）がリーチ演出中のとき、他方の演出図柄表示装置１９（１８）にもリーチ演出を行わせるので、遊技者に対してリーチを確実に報知できるだけでなく、リーチ時の演出パターンを多様化し、その効果を高めることができる。
【００２９】
また、本実施形態では、一方の演出図柄表示装置１８（１９）に係る予告演出を、他方の演出図柄表示装置１９（１８）に行わせるので、遊技者に対して予告演出を確実に報知できるだけでなく、予告演出時の演出パターンを多様化し、その効果を高めることができる。
【００３０】
また、本実施形態では、一方の演出図柄表示装置１８（１９）に係る演出を、他方の演出図柄表示装置１９（１８）で行うとき、他方の演出図柄表示装置１９（１８）が表示している演出図柄を縮小及び移動させるので、他方の演出図柄表示装置１９（１８）において連動演出用の画面スペースを広く確保し、連動演出表示の視認性を向上させることができる。
【図面の簡単な説明】
【００３１】
【図１】パチンコ遊技機の正面図である。
【図２】パチンコ遊技機の背面図である。
【図３】遊技盤の正面図である。
【図４】パチンコ遊技機の基板構成を示すブロック図である。
【図５】主基板及び周辺基板の機能的な構成を示すブロック図である。
【図６】連動演出１の処理手順を示すフローチャートである。
【図７】連動演出１の作用説明図である。
【図８】連動演出２の処理手順を示すフローチャートである。
【図９】連動演出２の作用説明図である。
【図１０】連動演出３の処理手順を示すフローチャートである。
【図１１】連動演出３の作用説明図である。
【図１２】連動演出４の処理手順を示すフローチャートである。
【図１３】連動演出４の作用説明図である。
【符号の説明】
【００３２】
１      パチンコ遊技機
４      遊技盤
１４    第一の始動口
１５    第二の始動口
１６    第一の特別図柄表示装置
１７    第二の特別図柄表示装置
１８    第一の演出図柄表示装置
１９    第二の演出図柄表示装置
２２    主基板
２３    周辺基板
２３ｃ  連動演出制御手段
【図１】
2006116107.tif 000003
【図２】
2006116107.tif 000004
【図３】
2006116107.tif 000005
【図４】
2006116107.tif 000006
【図５】
2006116107.tif 000007
【図６】
2006116107.tif 000008
【図７】
2006116107.tif 000009
【図８】
2006116107.tif 000010
【図９】
2006116107.tif 000011
【図１０】
2006116107.tif 000012
【図１１】
2006116107.tif 000013
【図１２】
2006116107.tif 000014
【図１３】
2006116107.tif 000015